【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
患者に吸入ガスを供給するための鼻カニューレであって、該鼻カニューレは、
吸入ガスを放出するための放出口を有するヘッド部を一端にそれぞれ備える１組の供給ラインであって、該１組の供給ラインのそれぞれの他端が吸入ガス源に接続可能である、１組の供給ラインと、
実質的に患者の人中の幅にしか亘らない、十分短い軸長を有し、前記供給ラインと一体的に相互接続するために前記ヘッド部に隣接して位置する中央ブリッジ部材と、  を備え、
各ヘッド部は、患者の一方の鼻腔内にぴったりと受容され、且つ保持される一方、患者に供給された過剰な吸入ガスが漏出流路を介して容易に排出されるために、患者の鼻腔の内側を向いた皮膚の一部と、前記ヘッド部の外表面の一部と、の間に十分な漏出流路が形成される大きさであり、
前記ブリッジ部材は、相互連結するガス流路を供給する内部流路をその内部に規定し、
前記ガス流路は、通常、前記１組の供給ラインから前記１組のヘッド部へのガスの流量を均等化する働きをし、使用中に前記ヘッド部の一方が部分的または完全に遮断または制限された際には、代替の流れを供給する
ことを特徴とする鼻カニューレ。
【請求項２】
請求項１に記載の鼻カニューレであって、
各ガス供給ラインは一般的に、使用時に一旦患者に装着されると、患者の鼻腔を出てすぐ患者の頬に沿って続き、顎の下から患者の顔の正中線近傍を通り、
１組の調節可能なストラップが、前記ガス供給ラインに取り付けられ、患者の頭部を一回りする結果、患者の頭部に前記鼻カニューレを容易に保持し、及び又は、
ガス流路に沿って、前記ガス供給ライン内に電熱部が配置され、前記電熱部は、前記ガス供給ラインを通って流れる前記ガスを加熱するため、且つ前記ガス供給ラインを通って流れる前記ガスの温度を測定するための前記電熱部への、電力潮流を制御するコントローラに連結され、及び又は、
前記ガス供給ラインは、該ガス供給ラインの側壁補強の一助となる、螺旋状の補強材をそれぞれ備える
ことを特徴とする鼻カニューレ。
【請求項３】
請求項１に記載の鼻カニューレであって、
前記ヘッド部の外表面は、過剰な吸入ガスの排出と、患者に必要とされる大気の吸気を促進するために、複数の漏出流路を部分的に規定するために形成された複数の細長い谷部を備える
ことを特徴とする鼻カニューレ。
【請求項４】
請求項３に記載の鼻カニューレであって、
前記ヘッド部の前記外表面には、６〜８の細長い谷部が形成され、該谷部は前記ヘッド部の円周周りに均等に離間され、前記細長い谷部のそれぞれは、過剰な吸入ガスの排出と、患者に必要とされる大気の吸気を促進するために、前記ヘッド部における前記漏出流路の１つを部分的に規定し、及び又は、
前記複数の細長い谷部のそれぞれは、前記複数の漏出流路の１つを部分的に規定するために、共通の細長い谷で分かれて、離間しているが隣接する１組の細長い稜線に向かう１組の隣り合う平面状の側面によって、形成され、及び又は、
前記漏出流路のそれぞれ一つが、約０．００２平方インチ（０．０１３ｃｍ2）〜０．００５５平方インチ（０．０３５ｃｍ2）の開口断面積を有し、
各ヘッド部は、約０．３４５インチ（０．８８ｃｍ）〜約０．７０インチ（１．８ｃｍ）の最大幅寸法と、約０．３０インチ（０．７６ｃｍ）〜約０．６０インチ（１．５ｃｍ）の長さを有することを特徴とする鼻カニューレ。
【請求項５】
請求項１に記載の鼻カニューレであって、
前記中央ブリッジ部材は、前記１組の供給ラインに保持される前記ヘッド部が患者の鼻孔内に容易に挿入されるために、前記１組の供給ラインを互いに平行に並べ、及び又は、
前記鼻カニューレは可撓性材料から製造され、前記供給ラインそれぞれの第二の端部は互いから遠ざかるように屈曲し、患者の顔の曲率にほぼ一致するように湾曲している
ことを特徴とする鼻カニューレ。
【請求項６】
請求項５に記載の鼻カニューレであって、
前記供給ラインそれぞれの前記第二の端部は補助吸入ガス供給ラインに連結され、前記供給ラインそれぞれの少なくとも前記第二の端部は、前記鼻カニューレが患者により装着された際に、前記供給ラインに連結され取り付けられた前記補助吸入ガス供給ラインが、患者の頬骨部の下を通ることを促すのに十分な剛性を有する
ことを特徴とする鼻カニューレ。
【請求項７】
患者に吸入ガスを供給するための鼻カニューレアセンブリであって、該鼻カニューレアセンブリは、
吸入ガスを放出するための放出口を有するヘッド部を一端にそれぞれ備える１組の供給ラインであって、該１組の供給ラインのそれぞれの他端は補助吸入ガス供給ラインに接続され、前記補助吸入ガス供給ラインそれぞれの遠位端部は患者に吸入ガスを供給するための吸入ガス源に接続される、１組の供給ラインと、
前記供給ラインと一体的に相互接続するために前記ヘッド部に隣接して位置する中央ブリッジ部材と、
を備え、
各ヘッド部は、患者の一方の鼻腔内にぴったりと受容され、且つ保持される一方、患者に供給された過剰な吸入ガスが漏出流路を介して容易に排出されるために、患者の鼻腔の内側を向いた皮膚の一部と、前記ヘッド部の外表面の一部と、の間に十分な漏出流路が形成される大きさであり、
前記ブリッジ部材は、相互連結するガス流路を供給する内部流路をその内部に規定し、
前記ガス流路は、通常、前記１組の供給ラインから前記１組のヘッド部へのガスの流量を均等化する働きをし、使用中に前記ヘッド部の一方が部分的または完全に遮断または制限された際には、代替の流れを供給する
ことを特徴とする、鼻カニューレアセンブリ。
【請求項８】
請求項７に記載の鼻カニューレアセンブリであって、
各ガス供給ラインは一般的に、使用時に一旦患者に装着されると、患者の鼻腔を出てすぐ患者の頬に沿って続き、顎の下から患者の顔の正中線近傍を通り、
１組の調節可能なストラップが、前記ガス供給ラインに取り付けられ、患者の頭部を一回りする結果、患者の頭部に前記鼻カニューレを容易に保持し、及び又は、
ガス流路に沿って、前記ガス供給ライン内に電熱部が配置され、前記電熱部は、前記ガス供給ラインを通って流れる前記ガスを加熱するため、且つ前記ガス供給ラインを通って流れる前記ガスの温度を測定するための前記電熱部への、電力潮流を制御するコントローラに連結され、及び又は、
前記ガス供給ラインは、該ガス供給ラインの側壁補強の一助となる、螺旋状の補強材をそれぞれ備え、及び又は、
前記ヘッド部の外表面は、過剰な吸入ガスの排出と、患者に必要とされる大気の吸気を促進するために、複数の漏出流路を部分的に規定するために形成された複数の細長い谷部を備え、前記ヘッド部の前記外表面には、６〜８の細長い谷部が形成され、該谷部は前記ヘッド部の円周周りに均等に離間され、前記細長い谷部のそれぞれは、過剰な吸入ガスの排出と、患者に必要とされる大気の吸気を促進するために、前記ヘッド部における前記漏出流路の１つを部分的に規定する
ことを特徴とする鼻カニューレアセンブリ。
【請求項９】
請求項７に記載の鼻カニューレアセンブリであって、
前記複数の細長い谷部のそれぞれは、前記複数の漏出流路の１つを部分的に規定するために、共通の細長い谷で分かれて、離間しているが隣接する１組の細長い稜線に向かう１組の隣り合う平面状の側面によって、形成され、及び又は、
前記漏出流路のそれぞれ一つが、約０．００２平方インチ（０．０１３ｃｍ2）〜０．００５５平方インチ（０．０３５ｃｍ2）の開口断面積を有し、及び又は、
各ヘッド部は、約０．３４５インチ（０．８８ｃｍ）〜約０．７０インチ（１．８ｃｍ）の最大幅寸法と、約０．３０インチ（０．７６ｃｍ）〜約０．６０インチ（１．５ｃｍ）の長さを有し、及び又は、
前記供給ラインそれぞれの前記第二の端部は補助吸入ガス供給ラインに連結され、前記供給ラインそれぞれの少なくとも前記第二の端部は、前記鼻カニューレが患者により装着された際に、前記供給ラインに連結され取り付けられた前記補助吸入ガス供給ラインが患者の頬骨部の下を通ることを促すのに十分な剛性を有する
ことを特徴とする鼻カニューレアセンブリ。
【請求項１０】
鼻カニューレを介して患者に吸入ガスを供給するための吸入療法システムであって、前記吸入療法システムは、
患者に吸入ガスを供給するための吸入ガス源と、
該吸入ガス源に接続され、前記吸入ガスを受け取って患者の鼻孔に前記吸入ガスを供給するための鼻カニューレと、
を備え、
前記鼻カニューレは、
吸入ガスを放出するための放出口を有するヘッド部を一端にそれぞれ備える１組の供給ラインであって、該１組の供給ラインのそれぞれの他端は補助吸入ガス供給ラインに接続され、前記補助吸入ガス供給ラインそれぞれの遠位端部は患者に吸入ガスを供給するための前記吸入ガス源に接続される、１組の供給ラインと、
前記供給ラインと一体的に相互接続するために前記ヘッド部に隣接して位置する中央ブリッジ部材と、
を備え、
各ヘッド部は、患者の一方の鼻腔内にぴったりと受容され、且つ保持される一方、患者に供給された過剰な吸入ガスが漏出流路を介して容易に排出されるために、患者の鼻腔の内側を向いた皮膚の一部と、前記ヘッド部の外表面の一部と、の間に十分な漏出流路が形成される大きさであり、
前記ブリッジ部材は、相互連結するガス流路を供給する内部流路をその内部に規定し、前記ガス流路は、通常、前記１組の供給ラインから前記１組のヘッド部へのガスの流量を均等化する働きをし、使用中に前記ヘッド部の一方が部分的または完全に遮断または制限された際には、代替の流れを供給する
鼻カニューレである
ことを特徴とする吸入療法システム。
【請求項１１】
請求項１０に記載の吸入療法システムであって、
該吸入療法システムは、患者に前記吸入ガスを供給する前に、該吸入ガスを所望の温度まで加熱するためのヒータを更に備え、及び又は、
該吸入療法システムは、患者に前記吸入ガスを供給する前に、該吸入ガスに湿気を供給するための加湿器を更に備え、及び又は、
該吸入療法システムは、
患者に前記吸入ガスを供給する前に、該吸入ガスを所望の温度まで加熱するためのヒータと、
患者に前記吸入ガスを供給する前に、該吸入ガスに湿気を供給するための加湿器と、
を備え、及び又は、
前記吸入ガスの湿度および温度に関する情報を供給するために、湿度センサおよび温度センサがコントローラに連結され、該コントローラは前記加湿器および前記ヒータの動作を制御して、患者に供給する前に、前記吸入ガスの温度および湿度を制御し、及び又は、
該吸入ガスシステムは、前記吸入ガスを、約７０％〜１００％の相対湿度、および約８０°Ｆ（２６．６℃）〜約９０°Ｆ（３２．２℃）の温度で供給する
ことを特徴とする吸入療法システム。
【請求項１２】
請求項１０に記載の吸入療法システムであって、
該吸入療法システムは、毎分約２０〜１２０リットルの間で変化する吸入ガスの流量を供給し、及び又は、
該吸入ガスシステムは、該吸入ガスシステム作動中に前記吸入ガスの使用量節約を促進するために、吸入ガス計量装置を更に備え、及び又は、
前記吸入ガス供給ラインおよび前記鼻カニューレは、前記吸入ガスが前記吸入ガス源から前記鼻カニューレに流れる際に、前記吸入ガスによる騒音の発生を最小限にするために、前記吸入ガス供給ラインおよび前記鼻カニューレに沿って漸進的に屈曲部、移行部、拡大部、および縮小部をそれぞれ有する
ことを特徴とする吸入療法システム。
【請求項１３】
睡眠障害を有する患者の治療方法であって、該治療方法は、
鼻カニューレのプロングを、前記患者の各鼻孔内に挿入するステップと、
少なくとも前記患者の呼気時に前記患者の気道内に背圧を形成するのに十分な一定の流量で、前記鼻カニューレに吸入ガスを供給するステップと、
少なくとも呼気時に、供給された前記吸入ガスの一部を、前記鼻カニューレの前記プロングと前記鼻孔の内側を向いた皮膚との間の前記鼻孔から、漏出させるステップと、
を含むことを特徴とする治療方法。
【請求項１４】
請求項１３に記載の、睡眠障害を有する患者の治療方法であって、
前記吸入ガスとして酸素を使用するステップと、
毎分約２０〜１２０リットルの流量で前記酸素を供給するステップと、
を更に含み、及び又は、
前記吸入ガスを放出するための放出口を有するヘッド部を一端に備え、各プロングの他端は吸入ガス源に接続される供給ラインに連結される前記鼻カニューレの、各プロングを形成するステップを更に含み、各ヘッド部は、患者の一方の鼻腔内にぴったりと受容され、且つ保持される一方、患者に供給された過剰な吸入ガスが漏出流路を介して容易に排出されるため、且つ、患者に供給される前記吸入ガス以上に必要とされる大気の吸気を促進するために、患者の鼻腔の内側を向いた皮膚の一部と、前記ヘッド部の外表面の一部と、の間に十分な漏出流路が形成される大きさであり、及び又は、
前記患者に前記吸入ガスを供給する前に、該吸入ガスを所望の温度まで加熱するステップを更に含み、及び又は、
前記患者に前記吸入ガスを供給する前に、該吸入ガスを加湿するステップを含み、及び又は、
前記睡眠障害を有する患者の治療中に前記吸入ガスの節約を促進するために、前記一定の流量の前記吸入ガスを、計量装置を用いて遮断するステップを更に含む
ことを特徴とする治療方法。
【請求項１５】
患者の鼻腔圧を測定するための診断器具であって、
該診断器具は鼻カニューレを備え、該鼻カニューレは、
吸入ガスを放出するための放出口を有するヘッド部を一端にそれぞれ備える１組の供給ラインであって、該１組の供給ラインのそれぞれの他端は吸入ガス源に接続可能である、１組の供給ラインと、
各ヘッド部に組み合わされた圧力検知プローブであって、該圧力検知プローブのそれぞれが、圧力測定値を供給するために圧力検知装置に連結されている、圧力検知プローブと、
を備え、
各ヘッド部は、患者の一方の鼻腔内にぴったりと受容され、且つ保持される一方、患者に供給された過剰な吸入ガスが漏出流路を介して容易に排出されるため、且つ、患者に供給される前記吸入ガス以上に必要とされる大気の吸気を促進するために、患者の鼻腔の内側を向いた皮膚の一部と、前記ヘッド部の外表面の一部と、の間に十分な漏出流路が形成される大きさである
鼻カニューレである
ことを特徴とする診断器具。
【請求項１６】
患者の鼻腔圧を測定するための診断器具の使用方法であって、
前記診断器具は鼻カニューレを備え、該鼻カニューレは、
吸入ガスを放出するための放出口を有するヘッド部を一端にそれぞれ備える１組の供給ラインであって、該１組の供給ラインのそれぞれの他端は吸入ガス源に接続可能である、１組の供給ラインと、
各ヘッド部に組み合わされた圧力検知プローブであって、該圧力検知プローブのそれぞれが、圧力測定値を供給するために圧力検知装置に連結されている、圧力検知プローブと、
を備え、
各ヘッド部は、患者の一方の鼻腔内にぴったりと受容され、且つ保持される一方、患者に供給された過剰な吸入ガスが漏出流路を介して容易に排出されるため、且つ、患者に供給される前記吸入ガス以上に必要とされる大気の吸気を促進するために、患者の鼻腔の内側を向いた皮膚の一部と、前記ヘッド部の外表面の一部と、の間に十分な漏出流路が形成される大きさである
鼻カニューレであって
前記使用方法は、
患者が眠ることを許可するステップと、
吸入ガスが第一の流量で患者に供給されている間、前記診断器具を装着した睡眠中の前記患者を監視するステップと、
前記圧力検知プローブを介して、前記患者の前記鼻腔内の圧力を測定するステップと、
前記患者が睡眠中に規則正しく呼吸するように、前記患者の気道内に所望の背圧を生じさせる、最適な吸入ガス流量が得られるまで、前記吸入ガスの前記流量を調整するステップと、
を含む
ことを特徴とする使用方法。